(57)【要約】【課題】  建築物等の取付面に対して直接、あるいは間接的にワンタッチで脱着可能とすることで、歩行者や、自転車、自動車等の走行に邪魔することがない上に危険度も少なく、固定が堅固で、しかも小型軽量にして使い勝手が良く、かつ製造コストも安価なのぼり旗竿の支持具を提供することを目的とする。【解決手段】  建築物等の取付面ａに対して直接、あるいは受け部材１を介して脱着自在に装着して取付けられる支持部材２と、のぼり旗竿３とを備え、それら支持部材２とのぼり旗竿３下端に差込溝部４と係止部材２ｂのいずれかをそれぞれ設け、当該係止部材を差込溝部４へ嵌合、係止するよう構成する。【選択図】          図２
0003112817.tif 000002
【実用新案登録請求の範囲】
【請求項１】
建築物等の取付面に対して直接あるいは受け部材を介して脱着自在に装着して取付けられる支持部材と、のぼり旗竿とを備え、それら支持部材とのぼり旗竿下端に、差込溝部と係止部材のいずれかをそれぞれ設け、係止部材を差込溝部へ嵌合、係止するによってのぼり旗竿を支持部材に支持させることを特徴とするのぼり旗竿の支持具。
【請求項２】
のぼり旗竿下端に、係止部材を設け、これが嵌合、係止する差込溝部を支持部材に設けたことを特徴とする請求項１記載のぼり旗竿の支持具。
【請求項３】
のぼり旗竿下端に、差込溝部を設け、これに嵌合、係止する差込溝部を支持部材に設けたことを特徴とする請求項１記載のぼり旗竿の支持具。
【考案の詳細な説明】
【技術分野】
【０００１】
本考案は、のぼり旗竿の支持具に関する。
【背景技術】
【０００２】
従来、街頭における商品の広告、宣伝のための広告宣伝媒体としてのぼり旗が使用されることが多い。こののぼり旗は通行人等の視覚に訴えるところから、できるだけ大型のものが望まれている。しかし、斬くするとこれを支える立て台も大型なものとなり、重量も相当に重いものを選択せざるを得ない問題がある。そこで、従来は、のぼり旗竿の支持具として、コンクリートブロックよりなる立て台、あるいは肉厚な樹脂成形品からなる注水式立て台などが使用されている。
【特許文献１】特になし
【考案の開示】
【考案が解決しようとする課題】
【０００３】
しかしながら、前記した従来の支持具は、街頭に設置されるため、歩行者や、自転車、自動車等の走行に邪魔となり、危険度も高い上に、設置作業、搬送作業に不便で、しかも製造コストも高い問題がある。さらに、のぼり旗竿が重い場合、注水式立て台では、水の他に、砂や小石等を入れることも必要となるため、設置作業が煩雑となり、使い勝手が良くない問題もある。
【０００４】
本考案は、前記した従来の技術が有するこのような問題点を解消するためになされたもので、建築物等の取付面に対して直接、あるいは間接的にワンタッチで脱着可能とすることで、歩行者や、自転車、自動車等の走行に邪魔することがない上に危険度も少なく、固定が堅固で、しかも小型軽量にして使い勝手が良く、かつ製造コストも安価なのぼり旗竿の支持具を提供することを目的とする。
【課題を解決するための手段】
【０００５】
上記目的を達成するために、本考案に係るのぼり旗竿の支持具は、請求項１では、建築物等の取付面に対して直接あるいは受け部材を介して脱着自在に装着して取付けられる支持部材と、のぼり旗竿とを備え、それら支持部材とのぼり旗竿下端に、差込溝部と係止部材のいずれかをそれぞれ設け、係止部材を差込溝部へ嵌合、係止するによってのぼり旗竿を支持部材に支持させることを特徴とする。
【０００６】
前記構成において、請求項２では、のぼり旗竿下端に、係止部材を設け、これが嵌合、係止する差込溝部を支持部材に設けたことを特徴とする。
【０００７】
一方、前記構成において、請求項３では、のぼり旗竿下端に、差込溝部を設け、これに嵌合、係止する差込溝部を支持部材に設けたことを特徴とする。
【考案の効果】
【０００８】
本考案は、以上のとおり構成されるものであるから、建築物等の取付面に直接取付けても歩行者等の邪魔をすることがないうえに、安全性にも優れている。一方、受け部材を介する場合、いったん建築物等の取付面に対して受け部材を固定しておけば、のぼり旗竿をワンタッチで取り付け、もしくは取り外すことが可能であって、のぼり旗竿の設置が容易である。
【０００９】
また、支持部材ののぼり旗竿下端に、差込溝部と係止部材のいずれかをそれぞれ設け、係止部材を差込溝部へ嵌合、係止するによってのぼり旗竿を支持部材に支持させるものであるから、のぼり旗竿が外側へ抜けたり、下方へ摺り落ちることがなく、極めて堅固に固定保持されるものである。
【考案を実施するための最良の形態】
【００１０】
以下、本考案を実施するための最良の形態について図面を参照して説明する。
図１は、本考案に係るのぼり旗竿の支持具の使用状態を示す全体の側面図であって、図２は、同上支持具を示す分解斜視図であり、図３は、同上の使用状態を示す縦断側面図であり、図４は、同上支持具の他の実施形態を示す分解斜視図であり、図５は、同上の使用状態を示す縦断側面図であり、図６は、同上支持具の更に他の実施形態を示す分解斜視図であり、図７は、同上の使用状態を示す縦断側面図であり、図８は、同上支持具の更に他の実施形態を示す分解斜視図であり、図９は、同上の使用状態を示す縦断側面図である。
【００１１】
図１乃至図３において、Ａはのぼり旗竿支持具であって、建物等の取付面ａに固定される受け部材１と、該受け部材１に脱着自在に装着される支持部材２と、下端に差込溝部４を設けたのぼり旗竿３とを備えている。
【００１２】
受け部材１は、硬質プラスチックよりなり、略矩形の背板１ａと、その正面に設けられた略矩形の切欠き１ｂと、切欠き１ｂの両側および底部に設けられた略コ字状の支持部材２の差込溝１ｃとを有して形成されている。背板１ａの裏面には建物等の取付面ａに対してワンタッチで取付け可能な両面粘着テープ５が配設されている。
【００１３】
支持部材２は、受け部材１と同様硬質プラスチックよりなり、図２に示すように、受け部材１の差込溝１ｃに脱着自在に装着される略矩形の支持板２ａと、該支持板２ａの正面略中央に設けられた係止部材２ｂとを有して形成されている。
【００１４】
係止部材２ｂは、前後部に長い略直方体形状にて形成されており、前方には横長矩形状の係止孔２ｃが上下方向に貫通して設けられている。この係止孔２ｃにのぼり旗竿３下端が嵌合、係止される。
【００１５】
すなわち、のぼり旗竿３は、図２および図３に示すように、その下端両側に、差込溝部４を形成すべく、真下へ開口且つ対向するように一対の切込み３ａが設けられ、この切込み３ａの片側部３ｂが係止部材２ｂに嵌合、係止されることによってのぼり旗竿３は係止部材２ｂに固定される。
【００１６】
したがって、こののぼり旗竿３下端に設けられた切込み３ａの長さＬは、係止部材２ｂの係止孔２ｃのそれと略同等かあるいは若干長く設定する。また、同切込み３ａの幅Ｓは、係止部材２ｂの係止孔２ｃの前部壁２ｄへ上方より嵌合するよう、これと略同幅あるいは若干幅広とし、且つ切込み３ａの片側部３ａ両方が係止孔２ｃに嵌合できるよう設定する。
【００１７】
次に、図４および図５に示す前記とは異なる実施形態について説明する。
図２と図３に示す受け部材１に脱着自在に装着される支持部材２０と、下端に差込溝部４を設けたのぼり旗竿３０とを備えている。
【００１８】
支持部材２０は、受け部材１と同様硬質プラスチックよりなり、受け部材１の差込溝１ｃに脱着自在に装着される略矩形の支持板２０ａと、該支持板２０ａの正面略中央に設けられた係止部材２０ｂとを有して形成されている。
【００１９】
係止部材２０ｂは、支持板２０ａの正面下方にアーム２０ｄを介して垂直係止板２０ｃが差込み方向を上に向けるようにして一体に連設することで側面略Ｌ字形状に形成されている。
【００２０】
すなわち、係止板２０ｃは、横幅および板厚ともに、上方へ行くに従って漸次緩やかな先細りとなるよう縦長矩形板状に形成されており、下端中央には後方へ屈曲する鉤形のフック２０ｅが一体に突設されている。このフック２０ｅの機能は後述する。
【００２１】
のぼり旗竿３０は、図４および図５に示すように、その下端内側に、差込溝部４を形成すべく、支持板２０ａの係止部材２０ｂが嵌合、係止される係止溝３０ｂを中央に備えた保持ブロック３０ａが嵌合、固定されている。係止溝３０ｂは内壁が係止部材２０ｂに対応すべく先細り且つ上下方向に貫通して設けられている。
【００２２】
次に、図６および図７に示す前記とは異なる実施形態について説明する。
受け部材１と支持部材２０とは図４と図５に示すものと同様のものを使用し、のぼり旗竿３０のみ異なった構造のものを使用する。
【００２３】
すなわち、のぼり旗竿３０は、図６および図７に示すように、その下端外側に、差込溝部４を形成すべく、支持板２０ａの係止部材２０ｂが嵌合、係止される係止溝３０ｄを中央に備えた保持ブロック３０ｃが嵌合、固定されている。係止溝３０ｄは内壁が係止部材２０ｂに対応すべく先細り且つ上下方向に貫通して設けられている。
【００２４】
保持ブロック３０ｃの上方には環状溝３０ｅが上方に開口するように設けられており、この環状溝３０ｅにのぼり旗竿３０の下端が嵌合することによって保持ブロック３０ｃはのぼり旗竿３０に固定される。このように、保持ブロック３０ｃをのぼり旗竿３０の下端外側に固定できるように構成することで、前記支持具と比べてのぼり旗竿を除く部材の大型化が可能となり、堅牢なものとすることができるのである。
【００２５】
次に、図８および図９に示す前記とは異なる実施形態について説明する。
受け部材１と支持部材２とは図２と図３に示すものと同様のものを使用し、のぼり旗竿３００のみ異なった構造のものを使用する。
【００２６】
すなわち、のぼり旗竿３００は、図８および図９に示すように、その下端に係止部材２００ｂが設けられている。この係止部材２００ｂは、その本体部２００ａが、のぼり旗竿３００下端に嵌合、固定される円筒状に形成され、本体部２００ａ下端に先端に行くに従い漸次細くなる偏平の係止板部２００ｃが連設されている。
【００２７】
一方、支持部材２の係止部材２ｂに設けられた係止孔２ｃは、前記のぼり旗竿３００に固定された係止部材２００ｂ下端の係止板部２００ｃが嵌合、係止される差込溝部４となっている。この差込溝部４は、係止部材２００ｂの係止板部２００ｃの形状に合せて上方から下方へ漸次先細りのテーパに形成されている。
【００２８】
なお、図１において、１００は縦長矩形状ののぼり旗であって、のぼり旗竿３等およびその上端に連結された横棒１０１に複数のチチ１０２を介して取り付けられている。
【００２９】
また、図１において、Ｂは本案支持具Ａの上方においてのぼり旗竿３を挟着保持するクリップ型の支持具である。のぼり旗竿３は、上下２種類の支持具Ａ、Ｂによって建築物等の取付面ａに支持されるが、このさい、のぼり旗竿３の回転阻止のためにその断面形状を円筒形以外のもの、例えば両側にフラット面を対向形成したものが望ましいが、断面形状を円筒形に形成したもので良いことは勿論である。
【００３０】
次に、本考案の使用方法について説明する。
先ず、建築物等の取付面ａの上方に支持具Ｂを不図示の両面粘着テープを介して取付けると共に、取付面ａ下方の所定位置に本案取付具Ａを取付ける。
【００３１】
すなわち、本案取付具Ａは、受け部材１をその背板１ａの裏面に設けられた両面粘着テープ５を介して取付面ａの所定位置に貼着し、この受け部材１の正面に設けられた差込溝１ｃに支持部材２の支持板２ａを上方より装着し、この支持板２ａの正面に設けられた係止部材２ｂへのぼり旗竿３下端に設けられた差込溝部４を上方より差込むことによって建築物等の取付面ａに取り付けられる。
【００３２】
このさい、係止部材２ｂが２図および図３に示されているように係止孔２ｃを以って形成されている場合は、のぼり旗竿３下端の対向位置に一対の切込み３ａを設け、この切込み３ａの片側部３ｂを当該係止孔２ｃに嵌合、係止することによって取り付ける。
【００３３】
また、係止部材２０ｂが図４および図５に示されているように、係止板２０ｃを以って形成されている場合は、のぼり旗竿３０下端内部に嵌合、固定された保持ブロック３０ａ中央に設けられた係止溝３０ｂを当該係止板２０ｃに嵌合、係止することによって取付けられる。なお、同時に係止板２０ｃ下端に設けられたフック２０ｅとのぼり旗竿３０下方に設けられたチチ１０２とを輪ゴム１０３等で掛け止めすることによって取付けを一層強固なものとすることができる。
【００３４】
さらに、係止部材２０ｂが図６および図７に示されているように係止板２０ｃを以って形成されている場合は、のぼり旗竿３０下端外側に嵌合、固定された大型の保持ブロック３０ｃ中央に設けられた係止溝３０ｄを当該係止板２０ｃに嵌合、係止することによっても取り付けられる。
【００３５】
さらにまた、係止部材２００ｂがのぼり旗竿３００下端に嵌合、固定された円筒状本体部２００ａと係止板部２００ｃとを以って形成されている場合は、支持部材２の係止孔２ｃを差込溝部４とする当該差込溝部４に上方からワンタッチで嵌合、係止することによって取り付けられる。
【００３６】
以上のように、受け部材１を両面粘着テープ５を介して建築物等の所要の取付面ａに貼着しておけば、のぼり旗竿３等が不用なときは支持部材２、２０ごと取り外しておくことができ、必要なときのみワンタッチで装着することができ取付け作業が容易である。したがって、歩行者等の邪魔となるのを可及的に防止できる。しかしながら、支持部材２、２０を建築物の取付面ａに両面粘着テープを介して直接取付けても良いことは既述のとおりである。
【００３７】
また、のぼり旗竿はその下端に設けられた差込溝部４が支持部材２に設けられた係止部材２ｂに上方より嵌合、係止されるか、あるいはのぼり旗竿の下端に設けられた係止部材３００ｂが支持部材２に設けられた差込溝部４に上方より嵌合、係止されるため、当該のぼり旗竿の下方への落ち込みと正面方向への抜けの双方とも確実堅固に阻止することが可能となっている。
【図面の簡単な説明】
【００３８】
【図１】本考案に係るのぼり旗竿の支持具の使用状態を示す全体の側面図である。
【図２】同上支持具を示す分解斜視図である。
【図３】同上の使用状態を示す縦断側面図である。
【図４】同上支持具の他の実施形態を示す分解斜視図である。
【図５】同上の使用状態を示す縦断側面図である。
【図６】同上支持具の更に他の実施形態を示す分解斜視図である。
【図７】同上の使用状態を示す縦断側面図である。
【図８】同上支持具の更に他の実施形態を示す分解斜視図である。
【図９】同上の使用状態を示す縦断側面図である。
【符号の説明】
【００３９】
Ａ                      支持具
ａ                      取付面
１                      受け部材
２、２０                支持部材
２ｂ、２０ｂ、２００ｂ  係止部材
３、３０、３００        のぼり旗竿
４                      差込溝部
５                      両面粘着テープ
【図１】
0003112817.tif 000003
【図２】
0003112817.tif 000004
【図３】
0003112817.tif 000005
【図４】
0003112817.tif 000006
【図５】
0003112817.tif 000007
【図６】
0003112817.tif 000008
【図７】
0003112817.tif 000009
【図８】
0003112817.tif 000010
【図９】
0003112817.tif 000011